(57)【特許請求の範囲】
【請求項１】
固定側から立設されるパイプ状の固定ポールと、靡く状態と垂れ下がった状態とに変化可能とされるとともに固定ポールの上部一定高さ範囲の周りに周回運動し得るように設けられた旗・幟などの旗類と、円板型をなすもので固定ポールの旗類よりも高い上端位置において固定ポールとは同心状をなすようにして設けられた上基板と、受皿を逆様にした形状をもち上基板の外周を介して上基板を被冠するように取り付けられた保護カバーと、上基板に上端基部が取り付けられるとともに上向きに縮小して旗類よりも高い位置に待機した状態と引き下げ手段により下向きに下げられることで垂れ下がる旗類を包囲する被覆収納状態とに伸縮可能とされたカバー材と、カバー材を手動あるいは電動操作により上下に伸縮連動させるカバー材伸縮手段とを備えている旗類掲納装置であって、前記カバー材は、薄膜を円筒状にしたカバー主膜と、このカバー主膜の上下方向に添って多数段をなして配列された環状のカバーリングとを有するとともに、垂れ下がったときの旗類外周り全体を固定ポールに同心状をなして囲うべく旗類よりも外周位置に対応すべく大きい直径とされている旗類掲納装置。
【発明の詳細な説明】
【技術分野】
【０００１】  本発明は、旗類掲納装置に関する。
【背景技術】
【０００２】  幟旗掲揚装置には旧来から各種のものがある。
【先行技術文献】
【特許文献】
【０００３】
【特許文献１】  特開２００９−０８４９２２
【特許文献２】  特開２０１３−０８８８００
【発明の概要】
【発明が解決しようとする課題】
【０００４】  特許文献１は幟旗掲揚装置に係るもので、該装置は、簡易な構造で風向きの変化に応じて幟旗の方向を変えることを可能にし、風によって幟旗がポールに巻き付くことを確実に防止することを目的とするものであり、地上から上方へ立設されたポール本体１と、その上端において水平回転自在に軸着した回転体と、ポール本体の下方において水平回転自在に遊嵌した回転錘体と、これら回転体及び回転錘体間に張設した無端の環状をした操作ロープと、この操作ロープに対し幟旗が旗の掲揚状態において上方に幟旗装着部と、下方に回転錘体に掛止される係止部とを設け、回転錘体の上方位置に鍔部を突設し、鍔部の導孔内を操作ロープが通るよう構成されている。
しかし、この幟旗掲揚装置は、幟旗をワンタッチで完全収納した形にすることができず、その結果、幟旗が風雨に晒されて傷んだりし収納するにしても幟旗を降ろして取り外す手間がかかるものである。
そのため、特許文献２に示す旗類掲揚・収納装置が提案された。この装置は、旗類の掲揚と収納が極めて簡単かつ迅速に行えるとともに収納により旗類を風雨などから確実に保護することができる旗類掲揚・収納装置を提供することを目的としたものである。
本装置は、傾斜を含む縦向きに固定設置される固定ポール４０と、旗類６７を取り付け得るものとして固定ポール４０内において昇降自在に設けられた昇降部材５７とを備えた旗類掲揚・収納装置であって、前記固定ポール４０の上端には、降ろされる旗類６７を案内する収納ガイド４２が上向き拡開状をなして設けられていることを特徴とするものである。
しかし、本装置は、昇降部材５７が下げられて旗類６７が固定ポール４０内に収納されても固定ポール４０の上端である収納ガイド４２が上方に開かれたままになっており、そのため上方に機能ケース５９が覆われるようにしてあるが、その機能ケース５９と収納ガイド４２間は大きく隙間が空いているため、そこから風雨やゴミなどが入り込み、旗類が傷むことになるおそれがある。また、同装置は、掲揚状態においても、固定ポール４０が太いパイプとして比較的高く立ち上がっているため、細竿のイメージのある固定ポールとして好ましくない。【０００５】  本発明は、このような問題を解決しようとするもので、旗類を巻き付くことなく周回自在に掲げた状態と覆い収納した状態とが極めて簡単な構造のもと簡易な操作で迅速に得られるようにすることができるだけでなく、特に収納時における旗類の風雨などによる損傷防止が簡単確実に得られるようにしまた固定ポールが太径でなくて細径のスリムな見かけの良いものとされるようにした旗類掲納装置を提供することを目的とする。
【課題を解決するための手段】
【０００６】  本発明は上記目的を達成するため、請求項１に記載の発明は、固定側から立設されるパイプ状の固定ポールと、靡く状態と垂れ下がった状態とに変化可能とされるとともに固定ポールの上部一定高さ範囲の周りに周回運動し得るように設けられた旗・幟などの旗類と、円板型をなすもので固定ポールの旗類よりも高い上端位置において固定ポールとは同心状をなすようにして設けられた上基板と、受皿を逆様にした形状をもち上基板の外周を介して上基板を被冠するように取り付けられた保護カバーと、上基板に上端基部が取り付けられるとともに上向きに縮小して旗類よりも高い位置に待機した状態と引き下げ手段により下向きに下げられることで垂れ下がる旗類を包囲する被覆収納状態とに伸縮可能とされたカバー材と、カバー材を手動あるいは電動操作により上下に伸縮連動させるカバー材伸縮手段とを備えている旗類掲納装置であって、前記カバー材は、薄膜を円筒状にしたカバー主膜と、このカバー主膜の上下方向に添って多数段をなして配列された環状のカバーリングとを有するとともに、垂れ下がったときの旗類外周り全体を固定ポールに同心状をなして囲うべく旗類よりも外周位置に対応すべく大きい直径とされている。
【発明の効果】
【０００７】  上述したように本発明は、固定側から立設されるパイプ状の固定ポールと、靡く状態と垂れ下がった状態とに変化可能とされるとともに固定ポールの上部一定高さ範囲の周りに周回運動し得るように設けられた旗・幟などの旗類と、円板型をなすもので固定ポールの旗類よりも高い上端位置において固定ポールとは同心状をなすようにして設けられた上基板と、受皿を逆様にした形状をもち上基板の外周を介して上基板を被冠するように取り付けられた保護カバーと、上基板に上端基部が取り付けられるとともに上向きに縮小して旗類よりも高い位置に待機した状態と引き下げ手段により下向きに下げられることで垂れ下がる旗類を包囲する被覆収納状態とに伸縮可能とされたカバー材と、カバー材を手動あるいは電動操作により上下に伸縮連動させるカバー材伸縮手段とを備えている旗類掲納装置であって、前記カバー材は、薄膜を円筒状にしたカバー主膜と、このカバー主膜の上下方向に添って多数段をなして配列された環状のカバーリングとを有するとともに、垂れ下がったときの旗類外周り全体を固定ポールに同心状をなして囲うべく旗類よりも外周位置に対応すべく大きい直径とされているので、旗類を巻き付くことなく周回自在に掲げた状態と覆い収納した状態とが極めて簡単な構造のもと簡易な操作で迅速に得られるようにすることができるだけでなく、特に収納時における旗類の風雨などによる損傷防止が簡単確実に得られるようにしまた固定ポールが太径でなくて細径のスリムな見かけの良いものとされるようにした旗類掲納装置を提供することができる。
【図面の簡単な説明】
【０００８】
【図１】  本発明の一実施形態である旗類掲納装置を掲げた状態で示す一部切欠正面図。
【図２】  旗類掲納装置を納めた状態で示す一部切欠正面図。
【図３】  旗の詳細分解図。
【図４】  図１のＩＶ−ＩＶ線断面図。
【図５】  図１のＶ−Ｖ線断面図。
【図６】  図２のＶＩ−ＶＩ線断面図。
【発明を実施するための形態】
【０００９】  以下、本発明である旗類掲納装置の一実施形態を説明する。各実施形態で説明する各案は他の実施形態においても適用することができる。
図１ないし図６は旗類掲納装置の一実施形態を示すもので、１は玄関横や庭先など所望の設置基盤（固定側の一つ）で、この基盤１にはコンクリート（あるいはモルタル）基盤である場合と土壌基盤である場合がある。この基盤１には上面フランジ２にアンカーボルト３を植設した筒状の固定基材（固定側の一つ）４が埋設固定されている。
【００１０】  固定基材４には、上面フランジ２から垂直上方に立ち上がる形で固定ポール７が立設固定されている。固定ポール７は、ステンレスやアルミ合金あるいは樹脂などでなる円筒パイプでなり、その下半分７ａはやや太く８０ｍｍの外径とされ上半分７ｂはそれより細く４５ｍｍ程度の外径とされ、その上下間はテーパー部７ｃで一体につながれている。この固定ポール７は図１の中段右欄に示すように４５ｍｍ程度で上下に一様の直径で伸びるパイプで形成してもよい。
【００１１】  この固定ポール７の上端から６００ｍｍ程度下がったところには回転受けリング８が固定されており、その上には回転リング９が相対回転自在に設けられている。１０は旗（旗類）で、図３のように縦が５００ｍｍで横が７００ｍｍの主面部１０ａと、固定ポール７の外径よりも少し太い丸筒状を一体に形成し得るように巻き回されてその一端が主面部１０ａの基端に固着されるようになっている基部１０ｂとからなるとともに、基部１０ｂの背面には基部１０ｂが５００ｍｍの高さを常に維持し得るようにする背面プレートである背筋材１１が装着されている。
【００１２】  また、基部１０ｂの筒内には、例えば、高さ１００ｍｍで外周が前記基部１０ｂ内に添着し内周が固定ポール７の外周に緩く嵌り合って周回運動し得るようにする厚い布地や円筒樹脂などによる内芯筒１３…が上下に間隔を置くようにして複数個挿入固着されている。これら内芯筒１３および背筋材１１を備えた旗１０は、その基部１０ｂが固定ポール７周りを周回運動し得るように支持された状態とされて主面部１０ａを靡かせる状態と垂れ下がった状態とに変化可能とされる。背筋材１１を省略し、例えば、１本通しタイプの長い内芯筒１３を背筋材１１を兼用するものとして挿通してもよい。
【００１３】  尚、内芯筒１３は、図３の右欄に示すように、１枚の厚めの布地をＵ字状に折り返すようにしたものにしてもよい。１４は受芯軸で、この受芯軸１４を内芯筒１３内に入れて基部１０ｂを巻き回してのち縫い着けたり接着するなどして内芯筒１３入りの基部１０ｂを一体形成する際の治具として使われ、治具として使われたあとは抜き出しておくようにされる。
この右欄に示す場合にも背筋材１１を装着する。
【００１４】  固定ポール７の上端は開口していてその上には４００ｍｍ程度の直径をもつ円板型の上基板１７が固定ポール７と同心状をなして固着されている。上基板１７の中央には、固定ポール７の上端の孔に通じる中心孔１７ａが形成されるとともに外周に位置にも３個の外周孔１７ｂ…が開けられている。外周孔１７ｂは２個あるいは４個など複数個開けてもよい。
【００１５】  上基板１７の底面は旗１０の上端に対し１００ｍｍ程度の間隔が設けられているが、その底面には、カバー材１９がその上端基部（リング）１９ａを介して固着されている。
カバー材１９は、高さが１４００ｍｍ程度で下向きに少しずつ窄まる形をして伸びる樹脂薄膜円筒状のカバー主膜１９ｂと、カバー主膜１９ｂの上下方向に添って多数段をなして配列されるカバーリング１９ｃ…からなる。カバーリング１９ｃは、上端のものが直径３００ｍｍ程度であるが下方に至るに従って直径が小さくなり下端のものは２００ｍｍ程度とされる。カバーリング１９ｃは樹脂環や軽量なアルミ合金環などとされる。
【００１６】  只、下端のカバーリング１９ｃからは３方向に伸びる突き出しアーム２１…が設けられるとともに、アーム２１…を介して引下げ手段となる環状のウエイト２２が取り付けられている。そのウエイト２２の下がった位置で対応するように固定ポール７の外周にはくの字状に曲がった振れ止めストッパ２３が突出して設けられている。振れ止めストッパ２３の３つの斜め立上り部分上に下降してきたウエイト２２がセットされることにより伸びた状態のカバー材１９が風雨などの外力に対して振れ止めなどされて安定化するものである。前記ウエイト２２はマグネットにしてカバー材１９が伸びた状態で揺れ動かずに安定し得るようにしてもよい。
【００１７】  このカバー材１９は、固定ポール７に同心状をなすようにして図１のようにその上端が上基板１７に固着されている。そして、同カバー材１９は、図１のように、上向きに大きく縮小されて高さが８０ｍｍ程度にされて旗１０の靡きを許す待機した状態とされる一方、図２のように下向きに１３００ｍｍ程度余裕をもって伸びて垂れ下がった旗１０を包囲する被覆収納状態とされる。
【００１８】  上基板１７の上面には、図４にも示すように、中央ホイール２５…が３点配置で設けられ、また外周ホイール２６…が同じく３点配置で設けられている。これらホイール２５，２６はカバー材伸縮手段の一つで、カバー材伸縮手段は、他に下部が１本で上部が３本に分かれた伝導線材２７を備えている。伝導線材２７の下部は、固定ポール７の下部に設けられたドラム２９に巻き付けられ、伝導線材２７の３本に分かれた各本は固定ポール７の上部内からホイール２５，２６を介して先端が突き出しアーム２１のそれぞれにつながれている。
【００１９】  ３２はＬＥＤ照明器具で、固定ポール７の上端より少し下側の外周に取り付けたフランジ３３を介して下向き照射可能に設けられて図２の右欄のように透明あるいは半透明質で垂れ下がった状態のカバー材１９を内側から照らすことにより情緒感を作り出すことができるようになっている。その際カバー材１９には家紋や絵図などの標識３４を付しておけばそれらが浮きだして趣向性を醸し出すことができる。
【００２０】  また、装置の頂部には受皿を逆様にしたような樹脂、金属製の保護カバー３６を被冠固着しておけば図２のようにカバー材１９を垂れ伸ばした際の内部空間を風雨などの侵入から護り、旗１０を長く持たせることができるようになる。すなわち、保護カバー３６がないと中央孔１７ａや外周孔１７ｂ…などを通じて風雨やゴミなどがカバー材１９の中に入ってきて旗１０が濡れたり汚されたり変質化されたりするおそれがあるが、保護カバー３６があるとそうしたおそれがなくなる。
【００２１】  尚、保護カバー３６の上面には、避雷針３８を立てたり鳥除け針３９…を設けたりする。また、保護カバー３６の表面などを介してソーラー面材を装備してＬＥＤ照明器具３２に通じて利用したりあるいはカバー材伸縮手段の操作を電動式とした場合の駆動源やタイマー制御に利用することができる。カバー材伸縮手段は、図示の手動式の場合、操作ハンドル３０・ドラム２９・伝導線材２７・ホイール２５，２６・突き出しアーム２１・ウエイト２２・振れ止めストッパ２３などの構成材からなる。
【００２２】  図１および図２の装置は手動操作式の場合を示している。図１は、操作ハンドル３０がＸ方向に操作されてドラム２９に伝導線材２７が巻き取られることにより突き出しアーム２１を介してカバー材１９がいっぱいに持ち上げられテーブル上基板１７の下側である保護カバー３６内に縮小して納まった状態とされる。これにより、旗１０は基部１０ｂが固定ポール７周りを周回自在で靡き得る状態になる。
【００２３】  夕方になると風がなくなって旗１０は図２のように垂れ下がった状態になる。その時点で操作ハンドル３０を矢印Ｙの方向に回転させて伝導線材２７を操りだして緩めてゆくことによりウエイト２２の働きでカバー材１９は下向きに伸びてゆく。カバー材１９が一杯伸びる手前でウエイト２２は振れ止めストッパ２３によって振れ止め状態で受け止められるとともに旗１０を外部から被覆収納することになる。
【００２４】  電動式の場合、制御ボックスのタイマー設定により、朝設定時刻になると駆動源が始動して図２の旗収納状態から伝導線材２７が固定ポール７内において引下げられるとともに外部において引上げられることによりカバー材１９は図１のように持ち上げられるようにされる。そして夕刻あるいは降雨時にはタイマ―設定あるいは降雨センサーの作用により伝導線材２７がドラム２９から操り出されるとともにウエイト２２が作用するもとカバー材１９は自動で下げられて旗１０を覆う収納状態になる。
【符号の説明】
【００２５】  １…設置基盤  ７…固定ポール  １０…旗（旗類）  １９…カバー材  ２７…伝導線材。
【図１】
0006451014.tif 000002
【図２】
0006451014.tif 000003
【図３】
0006451014.tif 000004
【図４】
0006451014.tif 000005
【図５】
0006451014.tif 000006
【図６】
0006451014.tif 000007